(57)【特許請求の範囲】
【請求項１】
（ａ）炭素数１０〜１５の直鎖２級アルキル基を有し、エチレンオキサイド平均付加モル数が５〜９モルのポリオキシエチレンアルキルエーテル１０〜５０重量％、（ｂ）炭素数１０〜１５の直鎖２級アルキル基を有し、エチレンオキサイド平均付加モル数が１０〜１５モルのポリオキシエチレンアルキルエーテル１〜３０重量％、（ｃ）酵素０．００５〜３重量％、及び（ｄ）酵素安定化剤０．０１〜３重量％〔但し、（ａ）／（ｂ）重量比が６０／４０〜９５／５であり、且つ全界面活性剤中の（ａ）と（ｂ）の合計の比率が５０重量％以上である〕を配合してなる液体洗浄剤組成物。
【請求項２】
（ａ）中の未反応のアルコール及びエチレンオキサイド１モル付加物の合計が（ａ）中５重量％以下であり、（ｂ）中の未反応のアルコール及びエチレンオキサイド１モル付加物の合計が（ｂ）中５重量％以下である請求項１記載の液体洗浄剤組成物。
【請求項３】
（ｅ）下記一般式（Ｉ）で示される非イオン界面活性剤を２〜２５重量％、且つ｛（ａ）＋（ｂ）｝／（ｅ）＝１０／１〜１／１の重量比で配合してなる請求項１又は２記載の液体洗浄剤組成物。
Ｒ1Ｏ(ＥＯ)s／(ＰＯ)tＨ                （Ｉ）
〔式中、Ｒ1は炭素数８〜２０のアルキル基又はアルケニル基を表し、ＥＯはエチレンオキシ基、ＰＯはプロピレンオキシ基を表す。ｓ及びｔは平均付加モル数であり、ｓは４〜１６、ｔは１〜５である。ＥＯとＰＯはランダム付加でもブロック付加でも何れでもよく、ＥＯとＰＯの付加順序は問わない。〕
【請求項４】
（ｆ）有機多価カルボン酸及び／又はその塩を０．０１〜１０重量％更に配合してなる請求項１〜３何れか記載の液体洗浄剤組成物。
【請求項５】
（ｃ）が、セルラーゼ及びプロテアーゼから選ばれる１種以上である請求項１〜４何れか記載の液体洗浄剤組成物。
【請求項６】
組成物中に存在する炭素数１０〜１５の直鎖２級アルキル基を有するポリオキシエチレンアルキルエーテルのエチレンオキサイド平均付加モル数が６〜１０であり、且つ該ポリオキシエチレンアルキルエーテルにおける最も重量の多い化合物のエチレンオキサイド付加モル数をｎMAXとしたときに、ｎMAX−２からｎMAX＋２のエチレンオキサイド付加モル数の化合物の合計重量Ｙiが、該ポリオキシエチレンアルキルエーテル中５５重量％未満である請求項１〜５何れか記載の液体洗浄剤組成物。
【発明の詳細な説明】
【０００１】
【発明の属する技術分野】
本発明は液体洗浄剤組成物に関する。
【０００２】
【従来の技術】
現在、一般家庭における衣類の洗浄には弱アルカリ性の粉末洗剤が多く用いられている。しかし粉末洗剤には本質的に悪条件下（低温、低攪拌洗浄）での溶け残りの問題がある。一方、液体洗剤は、溶解性及び頑固な油性汚れに対して直接塗布できる点で優れているが、配合上の制約から、粉末洗剤と比べると十分な洗浄力は得られていない。液体洗剤の洗浄力を強化するため、液体洗剤に酵素などを配合する試みがなされている。酵素は水性媒体中で失活しやすいため、特に水性の液体洗剤中への配合には工夫が必要である。特開昭５２−１２８９０４号公報には、特定濃度の遊離カルシウムイオンを含有することにより、酵素保存安定性に優れる液体洗浄剤組成物が開示されているが、頑固な油性汚れに対して更に洗浄効果を高めることが望まれている。
【０００３】
【発明が解決しようとする課題】
本発明の課題は、優れた塗布性を有し、酵素安定性及び溶液安定性にも優れる液体洗浄剤組成物に関する。
【０００４】
【課題を解決するための手段】
本発明は、（ａ）炭素数１０〜１５の直鎖２級アルキル基を有し、エチレンオキサイド平均付加モル数が５〜９モルのポリオキシエチレンアルキルエーテル〔以下、（ａ）成分という〕１０〜５０重量％、（ｂ）炭素数１０〜１５の直鎖２級アルキル基を有し、エチレンオキサイド平均付加モル数が１０〜１５モルのポリオキシエチレンアルキルエーテル〔以下、（ｂ）成分という〕１〜３０重量％、（ｃ）酵素〔以下、（ｃ）成分という〕０．００５〜３重量％、及び（ｄ）酵素安定化剤〔以下、（ｄ）成分という〕０．０１〜３重量％〔但し、（ａ）／（ｂ）重量比が６０／４０〜９５／５であり、且つ全界面活性剤中の（ａ）と（ｂ）の合計の比率が５０重量％以上である〕を配合してなる液体洗浄剤組成物に関する。
【０００５】
【発明の実施の形態】
＜（ａ）成分＞
本発明の液体洗浄剤組成物は、炭素数１０〜１５、好ましくは１３〜１５の直鎖２級アルキル基を有し、エチレンオキサイド（以下、ＥＯと表記する）平均付加モル数が５〜９モル、好ましくは５〜８モルのポリオキシエチレンアルキルエーテルを１０〜５０重量％配合してなる。洗浄性能の点で１５〜４０重量％がより好ましく、２０〜３５重量％が更に好ましい。
【０００６】
臭いや風合いの点で、（ａ）成分中に含有される未反応のアルコール及びＥＯ１モル付加物の合計は、（ａ）成分中５重量％以下が好ましく、３重量％以下がより好ましく、１重量％以下が更に好ましい。
【０００７】
＜（ｂ）成分＞
本発明の液体洗浄剤組成物は、炭素数１０〜１５、好ましくは１３〜１５の直鎖２級アルキル基を有し、ＥＯ平均付加モル数が１０〜１５モル、好ましくは１１〜１３モルのポリオキシエチレンアルキルエーテルを１〜３０重量％配合してなる。塗布性の点で２〜２０重量％が好ましく、３〜１５重量％がより好ましい。
【０００８】
臭いや風合いの点で、（ｂ）成分中に含有される未反応のアルコール及びＥＯ１モル付加物の合計は、（ｂ）成分中５重量％以下が好ましく、３重量％以下がより好ましく、１重量％以下が更に好ましい。
【０００９】
＜（ｃ）成分＞
本発明で配合する（ｃ）成分としては、セルラーゼ、アミラーゼ、ペクチナーゼ、プロテアーゼ、リパーゼ等が挙げられるが、中でもセルラーゼ及びプロテアーゼから選ばれる１種以上が好ましい。好適なセルラーゼとしては、細菌セルラーゼと真菌セルラーゼを挙げることができ、特に５〜９．５に至適ｐＨを有するものが好ましい。該セルラーゼとしては、特開昭６３−２６４６９９号公報４頁右上欄１３行目〜５頁右下欄１２行目に記載のものを使用することができ、特に好アルカリ性微生物バチルス・エスピー  ＫＳＭ−６３５（ＦＥＲＭ  ＢＰ−１４８５）又はその変異株から生産されるアルカリセルラーゼを使用することが好ましい。また、特開平８−５３６９９号公報第５欄３行目〜２１行目のセルラーゼを使用することもできる。より具体的には、ＫＡＣ５００（花王社製）、セルザイム及びケアザイム（いずれもノボ・ノルディスク社製）等が挙げられる。また、好適なプロテアーゼとしては、至適ｐＨが８以上、好ましくは８〜１１のアルカリプロテアーゼである。このようなプロテアーゼとしては、アルカラーゼ、サビナーゼ、エバラーゼ（いずれもノボ・ノルディスク社製、登録商標）、プラフェクト（ジェネンコ社製、登録商標）、ＫＡＰ４．３Ｇ、ＫＡＰ１１．１Ｇ（いずれも花王社製、登録商標）等が挙げられるが、特にＫＡＰ４．３Ｇ、ＫＡＰ１１．１Ｇが優れている。
【００１０】
本発明の液体洗浄剤組成物は、洗浄効果の点で、（ｃ）成分を酵素原末として０．００５〜３重量％配合してなり、０．０１〜２重量％配合してなることが好ましい。
【００１１】
＜（ｄ）成分＞
本発明で配合する（ｄ）成分である酵素安定化剤としては、ホウ素化合物、カルシウムイオン源（カルシウムイオン供給化合物）、ビヒドロキシ化合物が挙げられる。ホウ素化合物としてはホウ砂、ホウ酸、ホウ酸ナトリウムが、カルシウムイオン源としては塩化カルシウム、酢酸カルシウムが、ビヒドロキシ化合物としてはグリセリン、１，２−ヘキサンジオール、１，２−ドデカンジオール、グルコース、ソルビトール、マルトースが好適例として挙げられる。中でも特に、塩化カルシウムが経済性の点で優れている。本発明の液体洗浄剤組成物は、酵素安定化剤である（ｄ）成分を０．０１〜３重量％配合してなり、０．０１〜２重量％が好ましく、０．０１〜０．５重量％がより好ましい。
【００１２】
＜液体洗浄剤組成物＞
本発明の液体洗浄剤組成物において、（ａ）成分／（ｂ）成分の重量比は、塗布性の点で（ａ）／（ｂ）＝６０／４０〜９５／５であり、６５／３５〜９０／１０が好ましい。また、組成物中の全界面活性剤中の（ａ）成分と（ｂ）成分の合計の比率は、洗浄性能の点で、５０重量％以上であり、５０〜９９重量％が好ましく、５５〜９８重量％がより好ましい。
【００１３】
また、（ａ）成分及び（ｂ）成分由来の、未反応のアルコール及びＥＯ１モル付加物の合計量は、臭いや風合いの点で、組成物中に３重量％以下が好ましく、１重量％以下がより好ましく、０．５重量％以下が更に好ましい。
【００１４】
本発明においては、組成物中に存在する炭素数１０〜１５、好ましくは１３〜１５の直鎖２級アルキル基を有するポリオキシエチレンアルキルエーテルのＥＯ平均付加モル数が６〜１０、更に７〜９であり、且つ該ポリオキシエチレンアルキルエーテルにおける最も重量の多い化合物のＥＯ付加モル数をｎMAXとしたときに、ｎMAX−２からｎMAX＋２のＥＯ付加モル数の化合物の合計重量Ｙiが、該ポリオキシエチレンアルキルエーテル中５５重量％未満、更に５０重量％未満であることが、塗布性の点で好ましい。また、洗浄性能の点で４０重量％以上であることが好ましく、４５重量％以上であることがより好ましい。ここで、ＥＯ付加モル数は、例えばカラムとしてＺＯＲＢＡＸ  Ｃ８（デュポン社製）、移動相としてアセトニトリルと水の混合溶媒を使用する高速液体クロマトグラフィー（ＨＰＬＣ）によって容易に測定することができる。
【００１５】
本発明の液体洗浄剤組成物は、洗浄性能の点で、（ｅ）下記一般式（Ｉ）で示される非イオン界面活性剤〔以下、（ｅ）成分という〕２〜２５重量％を更に配合してなることが好ましく、５〜２０重量％がより好ましく、８〜１８重量％が更に好ましい。
Ｒ1Ｏ(ＥＯ)s／(ＰＯ)tＨ                （Ｉ）
〔式中、Ｒ1は炭素数８〜２０のアルキル基又はアルケニル基を表し、ＥＯはエチレンオキシ基、ＰＯはプロピレンオキシ基を表す。ｓ及びｔは平均付加モル数であり、ｓは４〜１６、ｔは１〜５である。ＥＯとＰＯはランダム付加でもブロック付加でも何れでもよく、ＥＯとＰＯの付加順序は問わない。〕。
【００１６】
（ｅ）成分として、特に下記一般式（II）で示される非イオン界面活性剤を用いることで、衿・そで口汚れに対する高洗浄力を得ることができる。
Ｒ2Ｏ(ＥＯ)p(ＰＯ)q(ＥＯ)rＨ      （II）
〔式中Ｒ2は炭素数８〜２０のアルキル基又はアルケニル基を表し、ＥＯはエチレンオキシ基、ＰＯはプロピレンオキシ基を表す。ｐ、ｑ及びｒは平均付加モル数を表し、ｐ＞０、ｑ＝１〜４、ｒ＞０、ｐ＋ｑ＋ｒ＝６〜１４、ｐ＋ｒ＝５〜１２である。好ましくはｐ＋ｑ＋ｒ＝７〜１４、ｐ＋ｒ＝６〜１２、ｑ＝１〜２である。ＥＯとＰＯはブロック付加であり、付加順序はＥＯ、ＰＯ、ＥＯの順である。〕。
【００１７】
一般式（II）の非イオン界面活性剤は、周知の方法で合成された、もしくは天然油脂から誘導されたＲ2のアルキル基を有するアルコールにＥＯ、プロピレンオキサイド（以下、ＰＯと表記する）の順序で付加した後、再度ＥＯを付加することで合成される。
【００１８】
本発明の液体洗浄剤組成物は、洗浄性能の点で、（ｅ）成分を、｛（ａ）＋（ｂ）｝／（ｅ）＝１０／１〜１／１、更に５／１〜３／２の重量比で配合してなることが好ましい。
【００１９】
本発明の液体洗浄剤組成物は、（ｆ）有機多価カルボン酸及び／又はその塩〔以下、（ｆ）成分という〕を配合してなることが好ましい。（ｆ）成分としては、（ｆ１）ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はこれらの塩、（ｆ２）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸又はこれらの塩、更に（ｆ３）ポリアクリル酸又はその塩、ポリマレイン酸又はその塩、カルボキシメチルセルロース又はその塩、アクリル酸−マレイン酸共重合体又はその塩、無水マレイン酸−ジイソブチレン共重合体又はその塩、無水マレイン酸−メチルビニルエーテル共重合体又はその塩、無水マレイン酸−イソブチレン共重合体又はその塩、無水マレイン酸−酢酸ビニル共重合体又はその塩等のカルボン酸系ポリマー、及び特開昭５９−６２６１４号公報の請求項１〜２１（１頁３欄５行〜３頁４欄１４行）記載のポリマー等が挙げられるが、これらの中でも、溶液低温安定性の観点から、クエン酸又はその塩及びカルボン酸系ポリマーが好ましく、特にカルボン酸系ポリマーが好ましい。
【００２０】
本発明の液体洗浄剤組成物は、（ｆ）成分を０．０１〜１０重量％、更に０．０１〜５重量％、特に０．０１〜３重量％配合してなることが好ましい。
【００２１】
本発明の組成物は、（ａ）〜（ｄ）成分、任意成分、及び残部の水からなる。
【００２２】
本発明の組成物には、界面活性剤として、（ａ）、（ｂ）成分、更に（ｅ）成分以外の非イオン界面活性剤、陰イオン界面活性剤、陽イオン界面活性剤、両性界面活性剤を配合しても良い。
【００２３】
（ａ）、（ｂ）成分、更に（ｅ）成分以外の非イオン界面活性剤としては、下記（１）〜（３）等が挙げられる。
（１）平均炭素数８〜２０の直鎖１級アルコール由来のアルキル基又は分岐鎖アルコール由来のアルキル基又はアルケニル基を有し、ＥＯを付加したポリオキシエチレンアルキル又はアルケニルエーテル。
（２）次の一般式（Ｉ）で表される多糖界面活性剤。
Ｒ1−(ＯＲ2)xＧy        （Ｉ）
〔式中、Ｒ1は直鎖又は分岐鎖の炭素数８〜１８のアルキル基、アルケニル基、又はアルキルフェニル基、Ｒ2は炭素数２〜４のアルキレン基、Ｇは炭素数５又は６の還元糖に由来する残基、ｘは平均値０〜６の数、ｙは平均値１〜１０の数を示す。〕
（３）脂肪酸アルカノールアミド、ポリヒドロキシ脂肪酸アミド。
【００２４】
陰イオン界面活性剤としては、アルキルベンゼンスルホン酸又はその塩、アルキル又はアルケニルエーテル硫酸塩、アルキル又はアルケニル硫酸塩、オレフィンスルホン酸塩、アルカンスルホン酸塩、飽和又は不飽和脂肪酸又はその塩、アルキル又はアルケニルエーテルカルボン酸塩、α−スルホ脂肪酸塩、又はα-スルホ脂肪酸エステル類である。中でも、アルキル基の炭素数が１０〜２０のアルキルベンゼンスルホン酸又はその塩、アルキル又はアルケニルエーテル硫酸塩、アルキル又はアルケニル硫酸塩、脂肪酸若しくはその塩類が好ましい。特に、ドラム洗濯機での洗浄性能の点で、脂肪酸若しくはその塩類、特に炭素数８〜１４の脂肪酸若しくはその塩が好ましい。
【００２５】
陰イオン界面活性剤の対イオンとしてはナトリウム、カリウム等のアルカリ金属以外に、マグネシウム等のアルカリ土類金属及び／又はモノ、ジ、トリエタノールアミン等のアルカノールアミン等が挙げられ、特にアルカノールアミンを用いることで液安定性が向上する。また、陰イオン界面活性剤を酸形態で組成中に配合してもよく、別途添加したアルカリ剤（アルカノールアミン等）で中和してもよい。
【００２６】
酵素安定化の点で、非イオン界面活性剤／陰イオン界面活性剤の重量比は１００／０〜１００／１０が好ましく、１００／１〜１００／１０がより好ましく、１００／１〜１００／５が更に好ましい。
【００２７】
また風合いを向上させるためには、モノ長鎖アルキル４級アンモニウム塩等の陽イオン界面活性剤を併用することが好ましい。
【００２８】
両性界面活性剤としてはアミンオキサイド、アルキルカルボベタイン、アルキルスルホベタイン、アルキルアミドヒドロキシスルホベタイン、アルキルアミドアミン型ベタイン、アルキルイミダゾリン型ベタイン等が配合できる。
【００２９】
本発明には、任意成分として従来より洗剤に配合することが知られている成分を配合することができる。このような任意成分として、エタノール等のアルコール類、エチレングリコール、分子量２００以上〜数千位の低分子量のポリエチレングリコール及びプロピレングリコール等のグリコール類、パラトルエンスルホン酸、安息香酸塩（防腐剤としての効果もある）並びに尿素等の減粘剤や可溶化剤；相調整剤及び洗浄力の向上のためのポリオキシアルキレンベンジルエーテル、ポリオキシアルキレンフェニルエーテル；ポリビニルピロリドン等の色移り防止剤；チノパールＣＢＳ（チバスペシャルティケミカルス社製）、ホワイテックスＳＡ（住友化学社製）等の蛍光染料；柔軟性付与を目的としたシリコーン；消泡剤としてのシリカ、シリコーン；ブチルヒドロキシトルエン、ジスチレン化クレゾール、亜硫酸ナトリウム、亜硫酸水素ナトリウム等の酸化防止剤；蛍光染料；青味付け剤；香料；抗菌防腐剤等が挙げられる。
【００３０】
本発明の液体洗浄剤組成物のｐＨは７．５〜１１（２５℃）が好ましい。該ｐＨに必要な量のアルカリ剤を配合することが好ましい。アルカリ剤としては、モノエタノールアミン、ジエタノールアミン、トリエタノールアミン、メチルモノエタノールアミン、ジメチルエタノールアミン、３−アミノプロパノール等のアルカノールアミン類、水酸化ナトリウム、水酸化カリウム等、珪酸ナトリウム、炭酸ナトリウム等の無機塩類を使用することができ、特にモノエタノールアミン、水酸化ナトリウム、水酸化カリウムから選ばれる１種以上が好ましい。
【００３１】
【実施例】
表１に示す液体洗浄剤組成物を調製し、得られた組成物を用いて下記の洗浄力、低温安定性、及び酵素活性安定性評価を行った。その結果を表１に示す。
【００３２】
〔洗浄性の評価〕
１．人工汚垢布の調製
四塩化エチレン７５Ｌに、下記に示す成分からなる有機汚垢を１５３１．２ｇ、及び同じく下記に示す成分からなるカーボンペースト２４０ｇを加えて１０分間超音波分散を行い、この浴中に幅１０ｃｍの清浄布〔金巾＃２００３布〕を浸し、汚染後風乾して汚染布とする。この汚染布を１０ｃｍ×１０ｃｍに裁断し、洗浄試験に供した。
【００３３】
なお、有機汚垢の組成は、綿実油４４．８重量％、コレステロール１０．８重量％、オレイン酸１０．８重量％、パルミチン酸７．８重量％、セチルアルコール２．０重量％、固形パラフィン５．１重量％、流動パラフィン５．１重量％（合計８６．４重量％）であり、カーボンペーストの組成は旭カーボンブラック１．８重量％、綿実油１１．８重量％（合計１３．６重量％）である。ここで、重量％は、有機汚垢とカーボンペーストの混合物における割合である。
２．洗浄方法
洗浄試験は（株）上島製作所製のTerg-O-Tometerを使用し、これに上記で調製した人工汚垢布５枚を入れ、１００ｒｐｍ．、２０℃、４°ＤＨの水道水に表１に示した組成の洗浄剤を洗浄剤濃度０．０６６７重量％になるような条件で添加して得られた洗剤水溶液１Ｌを用いて１０分間洗浄した。
３．評価方法
洗浄後の汚垢布反射率を（λ＝５５０μｍ)測定し、次式により洗浄率を計算し、下記の基準で評価した。
【００３４】
【数１】
0004675464.tif 000002
【００３５】
◎：洗浄率６５％以上
○：洗浄率６０％以上〜６５％未満
×：洗浄率６０％未満。
【００３６】
〔低温安定性の評価〕
５０ｍＬのサンプルビン（Ｎｏ．６広口規格ビン、ガラス製、直径４０ｍｍ、高さ８０ｍｍの円筒形）に、表１の液体洗浄剤組成物を４０ｍＬ充填し、蓋をした後、−５℃の恒温室で３０日間静置した。液体の安定性は目視で外観を下記の基準で判定した。
○；均一液体相であり、流動性に優れる
×；分離又は析出が認められる。
【００３７】
〔酵素活性安定性の評価〕
１％（ｗ／ｖ）のカゼイン（ハマーステイン；メルク社製）を含む５０ｍＭホウ酸緩衝液（ｐＨ１０．５）の１ｍＬを３０℃で５分間保持した後、０．１ｍＬの酵素溶液を添加し、３０℃で１５分間反応させた。次にＴＣＡ溶液（０．１１Ｍトリクロロ酢酸、０．２２Ｍ酢酸ナトリウム、０．３３Ｍ酢酸）の２ｍＬを添加し、室温で１０分間放置した後に、ろ過により酸変性タンパク質を除去し、ろ液に含まれる酸可溶性タンパク質分解物をローリー法により定量した。すなわち、ろ液０．５ｍＬに２．５ｍＬのアルカリ性銅溶液〔１％（ｗ／ｖ）酒石酸カリウムナトリウム水溶液、１％（ｗ／ｖ）硫酸銅水溶液、炭酸ナトリウムの０．１Ｍ水酸化ナトリウム水溶液溶解物（炭酸ナトリウム濃度２％（ｗ／ｖ）を１：１：１００（ｖ／ｖ）で混合したもの〕を添加し、３０℃、１０分間保温した後に、０．２５ｍＬの希釈フェノール試薬（フェノール試薬をイオン交換水で２倍に希釈したもの）を更に加え、３０℃、３０分間保温した後に、６６０ｎｍにおける吸光度を測定した。尚、ＴＣＡ溶液を加え室温１０分間放置した後に酵素溶液を加えた結果をブランクとした。酵素活性安定性は、表１の液体洗浄剤組成物の保存前の酵素活性と、４０℃、１４日保存後の酵素活性とから、以下の式により求めた。
酵素活性安定性（％）＝（［４０℃／１４日保存後の酵素活性］／［保存前の酵素活性］）×１００。
【００３８】
得られた酵素活性安定性により以下の基準で評価した。
◎；酵素活性安定性８０％以上
○；酵素活性安定性５０％以上〜８０％未満
△；酵素活性安定性３０％以上〜５０％未満
×；酵素活性安定性３０％未満。
【００３９】
〔塗布性の評価〕
特開平１１−２６９５００号公報の段落００２７記載の容器に液体洗浄剤組成物を充填し、ワイシャツ１０枚分の襟に塗布し、塗布性を評価した。
○：適度な粘性を有し、塗布が良好に行うことができた。
×：粘度が低く、塗布し難い。
××：粘度が高く、塗布し難い。
【００４０】
【表１】
0004675464.tif 000003
【００４１】
・Ａ−１：炭素数１２〜１４の２級アルコール由来のアルキル基を有するポリオキシエチレン（平均５モル付加）アルキルエーテル（ソフタノール５０、日本触媒化学工業製）
・Ａ−２：炭素数１２〜１４の２級アルコール由来のアルキル基を有するポリオキシエチレン（平均７モル付加）アルキルエーテル（ソフタノール７０、日本触媒化学工業製）
・Ｂ−１：炭素数１２〜１４の２級アルコール由来のアルキル基を有するポリオキシエチレン（平均１２モル付加）アルキルエーテル（ソフタノール１２０、日本触媒化学工業製）
・酵素：エバラーゼ１６．０Ｌ−ＥＸ（プロテアーゼ、ノボノルディスクバイオインダストリー株式会社製）
・Ｅ−１：炭素数１０〜１４の直鎖第１級アルコールにＥＯを平均５モル、ＰＯを平均２モル、ＥＯを平均３モルの順にブロック付加させたもの
・Ｅ−２：炭素数１０〜１４の直鎖第１級アルコールにＥＯを平均８モル、ＰＯを平均２モルランダム付加させたもの
・カルボン酸系ポリマー：特開平１０−６０４７６の１１頁６行〜１３行記載の方法で合成したフェノキシポリエチレングリコール、アクリル酸、マレイン酸共重合体（重量平均分子量１００００、固形分５１．２％）
・非イオン界面活性剤１：炭素数１２〜１４の１級アルコール由来のポリオキシエチレン（平均７モル付加）アルキルエーテル
・陰イオン界面活性剤１：ポリオキシエチレンアルキルエーテル硫酸塩（炭素数１２／１４の直鎖アルキル、ＥＯ平均付加モル数３、ナトリウム塩）
・陰イオン界面活性剤２：炭素数１０〜１４の直鎖アルキルベンゼンスルホン酸・陰イオン界面活性剤３：ヤシ油脂肪酸
・蛍光染料：チノパールＣＢＳ−Ｘ（チバスペシャリティケミカルス社製）